【事件の表示】
　特願２００４−５６５６６「ディスクローディング方法及び装置」拒絶査定不服審判事件〔平成１６年６月３日出願公開、特開２００４−１５８１９４〕について、次のとおり審決する。
【結　論】
　本件審判の請求は、成り立たない。
【理　由】
１．手続の経緯・本願発明
　本件審判の請求に係る特許出願（以下、「本願」という。）は、平成１２年６月７日に出願した特願２０００−１７０９５９号の一部を平成１６年３月１日に新たな特許出願としたものであって、平成１７年１１月８日付けの拒絶理由通知に対して、同年１２月２０日付けで手続補正がされたが、平成１８年５月９日付けで拒絶査定がされ、これに対し、同年６月２１日付けで拒絶査定不服審判が請求されたものである。
　そして、本願の請求項３に係る発明（以下、「本願発明」という。）は、平成１７年１２月２０日付け手続補正書の特許請求の範囲の請求項３に記載された事項により特定される次のとおりのものと認める。
　
「【請求項３】
　ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動するディスクローディング装置であって、
前記トラバースユニットがディスク待機状態及びディスク引き込み途中状態にあるとき、前記ピックアップを前記ディスクの外周方向に配置し、
前記ディスクの排出時において、前記トラバースユニットを下降する前に、前記ピックアップを前記ディスクの外周方向に移動させるよう構成したことを特徴とするディスクローディング装置。」
　
２．引用例
　原査定の拒絶の理由に引用された、本願出願前に頒布された刊行物である特開平１０−２０８４１２号公報（以下、「引用例」という。）には、ディスク装置に関して図面とともに以下の技術事項が記載されている。（下線は当審で付した。）
　
　（ａ）「【請求項１】  
挿入されたディスクの中心部を保持する保持部材および前記保持部材に保持されたディスクに対向する光ヘッドを搭載したシャーシと、前記光ヘッドをディスクの半径方向に沿って移動させる駆動手段とを有するディスク装置において、前記シャーシはディスクの外周側を支点としてディスク保持方向および保持解除方向へ回動自在とされており、シャーシが保持解除方向へ回動しているときに前記駆動手段を制御して光ヘッドをディスクの外周側へ待避させ、シャーシがディスク保持方向へ回動し前記保持部材によりディスクが保持されたときに前記光ヘッドをディスクの中心側へ移動させる制御手段が設けられていることを特徴とするディスク装置。
　（ｂ）「【０００１】
【発明の属する技術分野】本発明は、ディスクが収納されたカートリッジまたはカートリッジに収納されていない単体ディスクが挿入されるディスク装置に係り、特に装置を薄型化できるようにしたディスク装置に関する。」
　（ｃ）「【００１３】
本発明では、光ヘッドを搭載したユニットシャーシが下部筐体側に設けられている。ユニットシャーシの一方の端部にはディスクを保持する保持部材となるターンテーブルおよびスピンドルモータが設けられ、他方の端部側に設けられた支持軸を中心にターンテーブル側を下方に回動させることによって、上部筐体に設けられた相手側の保持部材となるクランパとの間に隙間が形成される。この際、光ヘッドがターンテーブル側に位置すると、光ヘッドの移動ベースの底面がユニットシャーシよりも下部筐体の底板側に突出するため、先に移動ベース底面の角部が下部筐体の底板あるいは基板などの部材に当接することとなり、クランパとターンテーブルとの隙間が狭いものとなる。これを避けるべく、光ヘッドを支持軸側（ディスクの外周側）に移動させた状態で行なう。
　（ｄ）「【００１８】図１に示すように、このディスク装置は、下半部Ａと上半部Ｂとから構成されている。下半部Ａと上半部Ｂとが組み合わされたディスク装置は、図２（Ａ）および（Ｂ）に示すように、薄型である。
このディスク装置の筐体２１は、下部筐体２２と上部筐体２３とに分割されている。下部筐体２２と上部筐体２３とが組み合わされると、図２および図３に示す薄型の箱状の筐体２１となり、図示左側に挿入口２４が開口する。
　（ｅ）「【００２１】図１に示すように、
下部筐体２２の底板２２ａ上には、ディスク駆動ユニット３０のユニットシャーシ３１が設けられている。ユニットシャーシ３１は板金材料でコの字形状に曲げ成形されたものであり、挿入口２４側の端部には、薄型のスピンドルモータ３２が固定され、このスピンドルモータ３２の回転軸３２ａにターンテーブル３３が固定されている。この実施の形態では、前記ターンテーブル３３が、ディスクの中心部を保持する保持部材となる。
【００２２】
ユニットシャーシ３１には光ヘッド３４がスクリュー軸１８およびガイド軸１９によりＸ１−Ｘ２方向へ移動自在に支持され、この光ヘッド３４の上には対物レンズ１３が設けられている。ユニットシャーシ３１上のＸ１側には、スレットモータＭが設けられており、この出力軸に前記スクリュー軸１８が接続されている。スレットモータＭは光ヘッド３４をディスクの半径方向に沿って移動させる駆動手段であり、このスレットモータＭを正転又は反転させることにより、光ヘッド３４は前記Ｘ１−Ｘ２方向へ移動する。
【００２３】ユニットシャーシ３１の両側板３１ｂ，３１ｂの装置奥側（Ｘ１側）には、支持軸３６，３６が挿入されている。下部筐体２２の底板２２ａには支持片２２ｃが切り起こし成形され、前記支持軸３６はこの支持片２２ｃに固定されている。よって、
前記ディスク駆動ユニット３０のユニットシャーシ３１は、装置奥側に設けられた（装填されるディスクの外周側に設けられた）前記支持軸３６，３６を支点として回動自在である。
　（ｆ）「【００３２】図２（Ａ）は、光ヘッド３４がターンテーブル３３側に近接した位置（Ｘ２側）においてユニットシャーシ３１が回動した場合を示しており、わずかなユニットシャーシ３１の下降方向への回動で光ヘッド３４の移動ベース３４ａの底面の角部３４ｃが下部筐体２２の底板２２ａに当接し、これ以上のユニットシャーシ３１の回動が停止される。このときのクランパ２５とターンテーブル３３との間の隙間寸法はｈ1で示されている。
これに対し、図２（Ｂ）では、ユニットシャーシ３１上の光ヘッド３４を最もＸ１側に移動させた場合を示している。
光ヘッド３４をＸ１側に移動させているため、ユニットシャーシ３１の回動角度を大きく取ることができるため、上記のクランパ２５とターンテーブル３３との間の隙間寸法ｈ1に比べこの場合の隙間寸法ｈ2を広くすることが可能である。
【００３３】
これらのことから、本願発明のディスク装置では、制御部７２によりスレットモータＭが制御され、図２（Ｂ）に示すようにユニットシャーシ３１がディスク保持解除方向へ移動している待機状態で、光ヘッド３４が最もＸ１方向へ移動した位置に待避させ、カートリッジＣまたはディスクＤｂが筐体２１内に挿入され、ユニットシャーシ３１がディスク保持方向へ回動して、カートリッジＣのディスクＤａまたは単体ディスクＤｂがクランパ２５およびターンテーブル３３とによって挟持されるとき、または挟持された後に、光ヘッド３４がディスクＤａ又はＤｂの内周方向（Ｘ２方向）に移動させられる。このように、カートリッジＣまたはディスクＤｂが装填された後に光ヘッド３４をディスクの中心側へ移動させて、ディスクの記録データを読み始めるようにしたため、挿入時におけるディスクＤａまたはＤｂとターンテーブル３３との距離を十分に確保することが可能となり、これらの接触によるディスク記録面の傷の発生を防止することが可能となる。また、筐体の薄型化も可能である。
　（ｇ）「【００３７】
【発明の効果】以上詳述した
本発明によれば、薄型化されたディスク装置にあっても、クランパとターンテーブルとの間に広い隙間を形成することができるため、この隙間を通じて確実にカートリッジまたは単体ディスクを挿入することができる。また、挿入されたカートリッジのディスクまたは単体ディスクの記録面とターンテーブルとの接触を防止することができるため、ディスクの記録面を傷付けることなくターンテーブルに装填することが可能である。
　（ｈ）図１及び図２には、上記（ａ）乃至（ｇ）等の記載により説明されるディスク装置の図が記載されており、
図１の前記装置における「Ｘ１」方向は装填されたディスクの外周方向であること
　
　上記摘示事項及び図面を総合勘案すると、引用例には、次の発明（以下、「引用発明」という。）が記載されているものと認める。
「挿入されたディスクの中心部を保持する保持部材および前記保持部材に保持されたディスクに対向する光ヘッドを搭載したシャーシと、前記光ヘッドをディスクの半径方向に沿って移動させる駆動手段とを有するディスク装置において、前記シャーシはディスクの外周側を支点としてディスク保持方向および保持解除方向へ回動自在とされており、シャーシが保持解除方向へ回動しているときに前記駆動手段を制御して光ヘッドをディスクの外周側へ待避させ、シャーシがディスク保持方向へ回動し前記保持部材によりディスクが保持されたときに前記光ヘッドをディスクの中心側へ移動させる制御手段が設けられているディスク装置であって、
ディスク装置の筐体は下部筐体と上部筐体とに分割されており、
前記下部筐体には、前記シャーシが設けられ、前記シャーシにはスピンドルモータが固定され、前記スピンドルモータの回転軸にターンテーブルが固定され、前記ターンテーブルが前記ディスクの中心部を保持する前記保持部材となり、
前記シャーシには前記光ヘッドが移動自在に支持され、前記シャーシに設けられているスレットモータは、前記光ヘッドを前記ディスクの半径方向に沿って移動させる前記駆動手段であり、
前記シャーシがディスク保持解除方向へ移動している待機状態で、前記光ヘッドが最もディスクの外周方向へ移動した位置に待避させ、前記ディスクが装填された後に前記光ヘッドを前記ディスクの中心側へ移動させる
ディスク装置。」
　
３．対比
　本願発明を、引用発明と比較する。
　（１）引用発明における「下部筐体と上部筐体とに分割されて」いる「ディスク装置の筐体」は、本願発明における「ボトムカバーとトップカバーで構成されたフレーム」に相当する。
　引用発明における「スピンドルモータの回転軸に」「固定され」た「ターンテーブル」は、本願発明における「スピンドルモータにより駆動されるターンテーブル」に相当する。
　引用発明における「挿入されたディスクの中心部を保持する保持部材」「に保持されたディスクに対向する光ヘッド」は、ディスクの情報を読み込むためのものであることが明らかであるから、本願発明における「装着されたディスクの情報を読み込むためのピックアップ」に相当する。
　引用発明は、「シャーシには前記光ヘッドが移動自在に支持され、前記シャーシに設けられているスレットモータは、前記光ヘッドを前記ディスクの半径方向に沿って移動させる」構成を備えているから、「前記光ヘッドが移動自在に支持され」、「スレットモータ」が「設けられ」た「シャーシ」は、本願発明における「前記ピックアップを前記ディスクの直径方向に移動するためのトラバースユニット」に相当する。
　引用発明は、「前記下部筐体には、前記シャーシが設けられ、前記シャーシにはスピンドルモータ」を介して「ターンテーブル」が設けられ、「前記シャーシには前記光ヘッドが」「支持され」ているから、本願発明における「ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え」に相当する構成を備えている。
　（２）引用発明における「前記シャーシはディスクの外周側を支点としてディスク保持方向および保持解除方向へ回動自在とされており」は、本願発明における「前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動する」に相当する。
　（３）引用発明は、「前記シャーシがディスク保持解除方向へ移動している待機状態で、前記光ヘッドが最もディスクの外周方向へ移動した位置に待避させ、前記ディスクが装填された後に前記光ヘッドを前記ディスクの中心側へ移動させる」ものであるから、本願発明における「前記トラバースユニットがディスク待機状態及びディスク引き込み途中状態にあるとき、前記ピックアップを前記ディスクの外周方向に配置」「させるよう構成した」に相当する構成を備えている。
　（４）上記（１）乃至（３）において対比した構成を備える引用発明の「ディスク装置」は、本願発明における「ディスクローディング装置」に相当する。
　
　すると、本願発明と引用発明とは、次の点で一致する。
「ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動するディスクローディング装置であって、
前記トラバースユニットがディスク待機状態及びディスク引き込み途中状態にあるとき、前記ピックアップを前記ディスクの外周方向に配置させるよう構成したディスクローディング装置。」
　
　一方で、引用発明は、「前記ディスクの排出時において、前記トラバースユニットを下降する前に、前記ピックアップを前記ディスクの外周方向に移動させるよう構成した」ことが特定されていない点で、本願発明と相違する。
　
４．判断
　そこで、上記相違点について検討する。
　引用例において、「ユニットシャーシの一方の端部にはディスクを保持する保持部材となるターンテーブルおよびスピンドルモータが設けられ、他方の端部側に設けられた支持軸を中心にターンテーブル側を下方に回動させることによって、上部筐体に設けられた相手側の保持部材となるクランパとの間に隙間が形成される。この際、光ヘッドがターンテーブル側に位置すると、光ヘッドの移動ベースの底面がユニットシャーシよりも下部筐体の底板側に突出するため、先に移動ベース底面の角部が下部筐体の底板あるいは基板などの部材に当接することとなり、クランパとターンテーブルとの隙間が狭いものとなる。これを避けるべく、光ヘッドを支持軸側（ディスクの外周側）に移動させた状態で行なう。」（段落【００１３】（上記２．（ｃ）を参照。））、及び、「本発明によれば、薄型化されたディスク装置にあっても、クランパとターンテーブルとの間に広い隙間を形成することができるため、この隙間を通じて確実にカートリッジまたは単体ディスクを挿入することができる。また、挿入されたカートリッジのディスクまたは単体ディスクの記録面とターンテーブルとの接触を防止することができるため、ディスクの記録面を傷付けることなくターンテーブルに装填することが可能である。」（段落【００３７】（上記２．（ｇ）を参照。））と記載されているように、引用発明は、薄型化されたディスク装置にあっても、クランパとターンテーブルとの間に広い隙間を形成して、この隙間を通じて確実にディスクを挿入し、また、挿入されたディスクの記録面とターンテーブルとの接触を防止することを技術課題としているところ、ディスクローディング装置の開発、設計にあたっては、ディスクの挿入動作と排出動作とを併せて考慮に入れることは当業者には当然のことであるから、引用発明において、ディスクの排出時にも、確実に排出すること、及び、排出されるディスクの記録面とターンテーブルとの接触を防止することを前記ディスク挿入時の技術課題と併せて考慮に入れることは、当業者が格別の困難なく行うことである。すると、引用発明において、当該ディスク排出時の技術課題に基づき、クランパとターンテーブルとの間に広い隙間を形成すべく、光ヘッドをディスクの外周側に移動させた状態でターンテーブル側（トラバースユニット）を下方に回動させる構成を採用することで、上記相違点の構成を備えるように為すことは、当業者が容易に想到しうることである。
　
　そして、本願発明の奏する効果は、引用例から、当業者が十分に予測できたものであって、格別なものとはいえない。
　
　したがって、本願発明は、その出願前に頒布された刊行物である引用例に記載された発明に基づいて、当業者が容易に発明をすることができたものである。　
　
５．むすび
　以上のとおり、本願の請求項３に係る発明は、その出願前に頒布された刊行物に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。